(57)【要約】  無線送信／受信装置（ＷＴＲＵ）へインテリジェントリモートアクセスを与える方法およびシステムを開示している。基地局にトランスレータを備えることで、システムコントローラは、基地局に対してアプリケーションレベルネットワーク管理プロトコルメッセージを出すことができる。そのメッセージは、そのトランスレータによって、メディアアクセス制御（ＭＡＣ）メッセージングプロトコルに変換されて、ＷＴＲＵに転送される。ＷＴＲＵによって基地局に提供される情報は、ＭＡＣプロトコルからアプリケーションレベルのネットワーク管理プロトコルに変換されることで、システムコントローラは、アプリケーションレベルネットワーク管理プロトコルを使用してこの情報にアクセスできる。
2007527148.tif 000002
【特許請求の範囲】
【請求項１】
少なくとも１つの基地局、少なくとも１つのシステムコントローラ、および少なくとも１つの無線送信／受信装置（ＷＴＲＵ）を含む無線通信システム内のネットワークエンティティの間で情報を通信する方法であって、
１つのシステムコントローラと１つの基地局との間でアプリケーションレベルネットワーク管理プロトコルを使用して該システムコントローラとＷＴＲＵとに関するネットワーク管理情報を通信することと、
前記基地局と前記ＷＴＲＵとの間でＭＡＣメッセージングプロトコルを使用して前記ネットワーク管理情報を通信することと
を含むことを特徴とする方法。
【請求項２】
前記基地局は、前記アプリケーションレベルネットワーク管理プロトコルと前記ＭＡＣメッセージングプロトコルとの間で変換することを特徴とする請求項１に記載の方法。
【請求項３】
前記アプリケーションレベルネットワーク管理プロトコルは、シンプルネットワーク管理プロトコル（ＳＮＭＰ）であることを特徴とする請求項２に記載の方法。
【請求項４】
前記システムコントローラは、ＷＴＲＵからネットワーク管理情報を入手するためにＳＮＭＰ（Ｇｅｔ）メッセージを出すことを特徴とする請求項３に記載の方法。
【請求項５】
前記基地局は、前記システムコントローラにより要求されたネットワーク管理情報を前記基地局内のデータベースから取ってきた後に前記システムコントローラに応答し、前記ＷＴＲＵに関するネットワーク管理情報が、ＭＡＣメッセージングプロトコルを使用して前記ＷＴＲＵから前記基地局によって入手された後に保管されることを特徴とする請求項４に記載の方法。
【請求項６】
前記ＭＡＣメッセージングプロトコルは、８０２．１１ｋであることを特徴とする請求項５に記載の方法。
【請求項７】
前記システムコントローラは、前記ＷＴＲＵの少なくとも１つのパラメータをセットするためにＳＮＭＰ（Ｔｒａｐ）メッセージを出すことを特徴とする請求項３に記載の方法。
【請求項８】
前記基地局は、前記ＳＮＭＰ（Ｔｒａｐ）メッセージを８０２．１１ｋメッセージに変換し、該変換されたメッセージを前記ＷＴＲＵに送信することを特徴とする請求項７に記載の方法。
【請求項９】
前記ＷＴＲＵの少なくとも１つのパラメータをセットするために、前記システムコントローラから該ＷＴＲＵに直接にメッセージを送信するステップをさらに含むことを特徴とする請求項３に記載の方法。
【請求項１０】
前記メッセージに基づいて、前記ＷＴＲＵが、所定のイベントが発生した時に前記少なくとも１つのパラメータに所定の値を自動的にセットするように設定されていることを特徴とする請求項９に記載の方法。
【請求項１１】
前記アプリケーションレベルネットワーク管理プロトコルが、拡張マークアップ言語（ＸＭＬ）であることを特徴とする請求項１に記載の方法。
【請求項１２】
アプリケーションレベルネットワーク管理プロトコルメッセージングを使用してネットワーク管理情報を送信し、受信するように設定されたシステムコントローラと、
ＭＡＣメッセージングプロトコルを使用してネットワーク管理情報を送信し、受信するように設定された複数の無線送信／受信装置（ＷＴＲＵ）と、
前記システムコントローラとＷＴＲＵ（複数）との間の通信を容易にするように設定された基地局であって、該システムコントローラが、前記アプリケーションレベルネットワーク管理プロトコルメッセージングを使用し、前記ＷＴＲＵ（複数）が、前記ＭＡＣメッセージングプロトコルを使用する、基地局と
を含むことを特徴とする無線ネットワーク。
【請求項１３】
前記基地局は、前記アプリケーションレベルネットワーク管理プロトコルと前記ＭＡＣメッセージングプロトコルとの間で両方向に変換するトランスレータをさらに含むことを特徴とする請求項１２に記載のネットワーク。
【請求項１４】
前記アプリケーションレベルネットワーク管理プロトコルが、シンプルネットワーク管理プロトコル（ＳＮＭＰ）であることを特徴とする請求項１２に記載のネットワーク。
【請求項１５】
前記システムコントローラは、ある１つのＷＴＲＵから管理情報ベース（ＭＩＢ）を入手するためにＳＮＭＰ（Ｇｅｔ）メッセージを出すことを特徴とする請求項１４に記載のネットワーク。
【請求項１６】
前記ＳＮＭＰ（Ｇｅｔ）メッセージは、ある１つの基地局に送信され、該基地局は、前記ＳＮＭＰ（Ｇｅｔ）メッセージをＭＡＣメッセージングプロトコルフォーマットに変換し、該変換されたＳＮＭＰ（Ｇｅｔ）メッセージを前記ＷＴＲＵに転送することを特徴とする請求項１５に記載のネットワーク。
【請求項１７】
前記ＷＴＲＵは、自身のＭＩＢを前記ＭＡＣメッセージングプロトコルフォーマットで前記基地局に送信し、該基地局は、該ＭＩＢをＳＮＭＰ（シンプルネットワーク管理プロトコル）に変換して、該変換されたＭＩＢを前記システムコントローラに送信することを特徴とする請求項１６に記載のネットワーク。
【請求項１８】
前記基地局は、該基地局に係わるＷＴＲＵの前記ＭＩＢを周期的に入手し、これらＭＩＢをメモリに保管するように設定されていることを特徴とする請求項１５に記載のネットワーク。
【請求項１９】
前記ＭＩＢは、変換されたフォーマットで保管され、前記基地局が、メモリに保管された適合するＭＩＢを選択し、選択したＭＩＢを前記システムコントローラに送信することによって、ＳＮＭＰ（Ｇｅｔ）メッセージに応答するように設定されていることを特徴とする請求項１８に記載のネットワーク。
【請求項２０】
前記基地局は、ＷＴＲＵのＭＩＢが所定の時間の長さを超えて前記基地局のメモリに保管されている場合にはそのＷＴＲＵにＭＩＢを要求するように設定されていることを特徴とする請求項１９に記載のネットワーク。
【請求項２１】
前記システムコントローラは、少なくとも１つのＷＴＲＵの少なくとも１つのパラメータをセットするためにＳＮＭＰメッセージを出すことを特徴とする請求項１４に記載のネットワーク。
【請求項２２】
前記ＳＮＭＰメッセージは、前記基地局によって変換されてから、前記少なくとも１つのＷＴＲＵに送信され、該ＷＴＲＵは、該ＳＮＭＰメッセージに従って少なくとも１つのパラメータをセットすることを特徴とする請求項１４に記載のネットワーク。
【請求項２３】
前記ＳＮＭＰメッセージが、前記ＷＴＲＵに直接に送信されることを特徴とする請求項２１に記載のネットワーク。
【請求項２４】
前記ＳＮＭＰメッセージが、所定のイベントが前記ＷＴＲＵ内で発生した場合に該ＷＴＲＵの特定のパラメータにデフォルト値をセットするように該ＷＴＲＵに指示することを特徴とする請求項２１に記載のネットワーク。
【請求項２５】
前記アプリケーションレベルネットワーク管理プロトコルが、拡張マークアップ言語（ＸＭＬ）であることを特徴とする請求項１２に記載のネットワーク。
【発明の詳細な説明】
【技術分野】
【０００１】
本発明は、無線通信システムに関する。さらに詳細には、本発明は、無線送信／受信装置（ＷＴＲＵ）へリモートアクセスを与えることで、ネットワーク管理機能がＷＴＲＵとの間で効率的に交信できるようにする方法およびシステムに関する。
【背景技術】
【０００２】
まず図１を参照すると、従来の無線通信システム１００が示されている。システム１００に、少なくとも１つの無線送信／受信装置（ＷＴＲＵ）１０２、少なくとも１つの基地局１０４、およびシステム１００内の通信を制御もしくは管理する少なくとも１つのシステムコントローラ１０６が含まれる。
【０００３】
通常、システムの機能は、データ伝送に関連するタスクを簡素化し、分離するために、層と呼ばれるモジュールに分解されている。それ故、分かりやすくするために、図１には、サンプルのプロトコルスタック１０８も示している。プロトコルスタック１０８内において、最上位レベルは、アプリケーション層１１２である。アプリケーション層１１２は、２つのエンティティ（構成要素）のプロセスが互いに通信する層である。アプリケーション層１１２の下に、トランスポート層１１４があり、この層は、２つの通信するエンティティの間の論理通信に供されるので、アプリケーションの観点から、その２つのエンティティが互いに直接に接続されているかのようになっている。２つの主要なトランスポート層のプロトコル、すなわち伝送制御プロトコル（ＴＣＰ）とユーザデータグラムプロトコル（ＵＤＰ）とがある。トランスポート層１１４の下に、ネットワーク層１１６がある。ネットワーク層１１６は、トランスポート層１１４からのデータグラムをカプセル化、パケット内にカプセル化し、インターネットプロトコル（ＩＰ）を使用して、ネットワークを介してこれらパケットをめいめいの宛先に対してルーティング（転送）する。このようなパケットを、しばしば、ＩＰパケットと称している。ネットワーク層１１６の下に、データリンク層１１８と物理層１２０とがあり、それら層で、個々のリンクの間でＩＰパケットを移動する作業が実行される。リンク層１１８および物理層１２０で履行されるプロトコルは、交差するリンクのタイプ（例えば、有線または無線）に応じて変化する可能性がある。本明細書では、単に便宜上、リンク層１１８および物理層１２０で履行されるプロトコルを、まとめて、メディアアクセス制御（ＭＡＣ）メッセージングプロトコルと呼ぶ。この用語のＭＡＣメッセージングプロトコルの使用は、制限的なものではなく、ブロードキャスト（放送）チャネルおよびポイントツーポイントチャネルを含んでいるが、これに制限されないすべてのタイプのリンク層チャネルを含むことができることに留意されたい。
【０００４】
システムコントローラ１０６は、通常、アプリケーション層１１２に実装されたある種のアプリケーションレベルネットワーク管理プロトコルを使用して、ネットワーク管理機能に関して基地局１０４と通信する。この通信は、アプリケーション層１１２で実行されるので、コントローラ１０６と基地局１０４の間で交換される、もっぱら管理専用の、かつかなりの量のデータが存在する。システムコントローラ１０６と基地局１０４の間の通信は、通常、十分な帯域幅を有する有線インターフェース上で実行されるので、アプリケーション層１１２での通信管理機能は、通常は問題とならない。さらに、両方のエンティティが、通常、関連するアプリケーションレベルプロトコルの利用およびサポートの両方を行なっている。
【０００５】
しかし、アプリケーション層１１２でのネットワーク管理機能の通信が、しばしば、基地局とＷＴＲＵ１０２の間での実行を困難または不可能にする。まず問題となるのは、アプリケーションレベルプロトコルは、比較的複雑であって、プロトコルスタック１０８の各層での機能と大量のデータとが電波で交換されることを要求する傾向があることである。例えば、アプリケーションレベルネットワーク管理プロトコルが使用される場合に、各メッセージ１２２（図１にも図示）は、ＴＣＰまたはＵＤＰのデータグラム１２４を用いてカプセル化され、これらＴＣＰまたはＵＤＰのデータグラム１２４が、ＭＡＣフレーム１２８内のＩＰパケット１２６内にカプセル化される。したがって、アプリケーションレベルネットワーク管理プロトコルを使用してのＷＴＲＵとの間の管理機能の通信は、帯域幅の非常に非効率的な使用となる。さらに、帯域幅のそのような非効率的な使用が我慢できる可能性がある場合であっても、ＷＴＲＵは、しばしば、ネットワーク管理機能を実行するアプリケーションレベルソフトウェアを実装しておらず、そのためそのような通信は不可能になることがある。
【発明の開示】
【発明が解決しようとする課題】
【０００６】
したがって、ネットワーク管理機能をＷＴＲＵとの間で効率的に交信できる方法およびシステムを提供することが望ましいであろう。
【課題を解決するための手段】
【０００７】
本発明は、無線送信／受信装置（ＷＴＲＵ）へインテリジェントリモートアクセスを与える方法およびシステムの発明である。基地局内にトランスレータ（変換装置）を備えることで、システムコントローラが、基地局に対してアプリケーションレベルネットワーク管理プロトコルメッセージを出すことができるようにする。このメッセージは、トランスレータによって、メディアアクセス制御（ＭＡＣ）メッセージングプロトコルに変換され、ＷＴＲＵに転送される。ＷＴＲＵから基地局に提供される情報は、ＭＡＣプロトコルからアプリケーションレベルネットワーク管理プロトコルに変換されることで、その情報は、アプリケーションレベルネットワーク管理プロトコルを用いて、システムコントローラによりアクセスできるようになる。
【発明を実施するための最良の形態】
【０００８】
本明細書において、基地局には、これらに限定されるものではないが、ＮｏｄｅＢ、アクセスポイント、サイトコントローラ、あるいは基地局と結びつくネットワークへの無線アクセスをＷＴＲＵに与える無線環境内の他のインターフェースデバイスが含まれている。本明細書において、ＷＴＲＵには、これらに限定されるものではないが、ユーザ機器、移動局（モバイルステーション）、固定または移動の加入者ユニット、ポケットベル、あるいは無線環境内で動作できるあらゆる他のタイプのデバイスが含まれている。ＷＴＲＵには、携帯電話機やテレビ電話機、およびネットワークと接続するインターネット対応電話機などの個人向けデジタル無線通信機器と、似たようないくつかのネットワーク機能を有する無線モデムを備えたＰＤＡ（携帯情報端末）、およびノートブックサイズの携帯コンピュータなどの携帯型パソコン機器とが含まれる。本明細書では、システムコントローラには、無線ネットワーク制御装置（ＲＮＣ：ｒａｄｉｏ  ｎｅｔｗｏｒｋ  ｃｏｎｔｒｏｌｌｅｒ）、ネットワーク管理ステーション（ＮＭＳ：ｎｅｔｗｏｒｋ  ｍａｎａｇｅｍｅｎｔ  ｓｔａｔｉｏｎ）、または無線通信システム内でシステム制御機能を実行するすべての他のタイプのコントローラ（制御装置）が含まれている。
【０００９】
基地局とＷＴＲＵの間のエアインターフェース（無線ネットワーク規格）でのＭＡＣ（メディアアクセス制御）メッセージングプロトコルの使用は、背景技術の欄で説明したように、アプリケーションレベルネットワーク管理プロトコルの使用よりもはるかに効率的である。さらに、ＭＡＣメッセージングプロトコルの使用は、システムコントローラにとって興味を引く情報が置かれているデータリンク層および物理層を利用するために好ましい。さらに説明すると、サイトコントローラにとって興味を引くＷＴＲＵの管理に関する情報の種類には、ＷＴＲＵのパフォーマンス（性能）、コンフィギュレーション（設定）、および障害レポーティング（報告）が含まれる。例えば、パフォーマンスパラメータには、受信／送信されたパケットのエラーレートを含めることができ、設定パラメータには、ＷＴＲＵの常用サービスプロバイダを含めることができ、障害レポーティングパラメータには、いくつかの失敗したデータ確認の試み（ａｕｔｈｅｎｔｉｃａｔｉｏｎ  ａｔｔｅｍｐｔ）を含めることができる。これらのアイテム（項目）は、データリンク層および物理層で入手可能なので、本発明は、基地局とＷＴＲＵとの間ではＭＡＣメッセージングプロトコルを、またコントローラと基地局との間ではアプリケーションレベルネットワーク管理プロトコルを使用する。さらに、基地局内にトランスレータを備えることで、システムコントローラがＷＴＲＵへ直接アクセスできるようにする。
【００１０】
例えば、図２を参照すると、本発明によるシステム２００が示されている。システム２００には、少なくとも１つのＷＴＲＵ２０２、少なくとも１つの基地局２０４、および少なくとも１つのシステムコントローラ２０６が含まれる。この実施形態では、トランスレータ２０８が、基地局２０４に設けられている。トランスレータ２０８は、アプリケーションレベルネットワーク管理プロトコルとＭＡＣメッセージングプロトコルの間で両方向に変換するように設定されている。
【００１１】
一実施形態において、基地局２０４によって規定されたサービスエリア内でＷＴＲＵ２０２が動作を開始する時に、基地局２０４はＭＡＣメッセージプロトコルを使用して、ＷＴＲＵ２０２のセッティングおよび／またはパラメータ（以下では、総称して「パラメータ」と称する）を入手（すなわち、要求し、受信）するが、このパラメータには、ネットワーク管理に関連するＷＴＲＵ２０２内のすべての情報を含めることができる。このパラメータは、トランスレータ２０８によって、ＭＡＣメッセージングプロトコルからアプリケーションレベルネットワーク管理プロトコルに変換され、基地局２０４内のデータベース２１０に格納される。その後、システムコントローラ２０６は、アプリケーションレベルネットワーク管理プロトコルを使用して、基地局２０４から要望通りにＷＴＲＵ２０２のパラメータにアクセスすることができる。基地局２０４は、そのデータベース２１０に期限切れの無効データ（ｏｕｔｄａｔｅｄ  ｄａｔａ）を所持することを避けるために、そのパラメータについてＷＴＲＵ２０２に周期的に問い合わせるように設定されていることが好ましい。
【００１２】
別の実施形態では、システムコントローラ２０６は、ＷＴＲＵ２０２のパラメータを読み取るだけではなく、同様にこれらパラメータを書き込むこともできる。この実施形態では、システムコントローラ２０６が、アプリケーションレベルネットワーク管理プロトコルを使用して基地局２０４にメッセージを送信することによって、更新されたパラメータをＷＴＲＵ２０２に送信することができる。次に、更新されたパラメータが基地局２０４によって受信されたならば、トランスレータ２０８が、これらパラメータをＭＡＣメッセージングプロトコルフォーマットに変換し、その変換されたパラメータをＷＴＲＵ２０２に転送する。次に、ＷＴＲＵ２０２がそのパラメータを適宜に更新する。システムコントローラ２０６は、この実施態様を利用してＷＴＲＵ２０２にメッセージを（基地局２０４を介して）送信して、そのメッセージを基地局２０４に報告するようにＷＴＲＵ２０２に指示することもでき、そのＷＴＲＵ２０２は、ある種のイベントが発生した時に、レポートをシステムコントローラ２０６に送ることができる。
【００１３】
本発明を８０２．１１タイプのネットワークにどのように実装できるかについてのより具体的な例示を示すために、図３および図４を参照する。図３に示したネットワークは、「８０２．１１タイプのネットワーク」と称されるが、このシステムは、無線ローカルエリアネットワーク（ＷＬＡＮ）、無線パーソナルエリアネットワーク（ＷＰＡＮ）、無線メトロポリタンエリアネットワーク（ＷＭＡＮ）などを含む、これらに限定されない、ネットワークの８０２ファミリのすべてのタイプのネットワークとすることができることに留意されたい。図３には、無線ネットワーク３００の概略ブロック図が示されている。無線ネットワーク３００には、ネットワーク管理ステーション（ＮＭＳ：ｎｅｔｗｏｒｋ ｍａｎａｇｅｍｅｎｔ ｓｔａｔｉｏｎ）３０６、複数の基地局３１４、３１６、ならびに複数のＷＴＲＵ３１２、３１８が含まれる。それらＷＴＲＵ３１２、３１８は、そのめいめいの基地局３１４、３１６と共にグループ化されている。これらの集団は、一般に、基本サービスセット（ＢＳＳ：ｂａｓｉｃ  ｓｅｒｖｉｃｅ  ｓｅｔ）３２０、３２２と称されている。複数のＢＳＳ３２０、３２２は、分配系（ＤＳ：ｄｉｓｔｒｉｂｕｔｉｏｎ  ｓｙｓｔｅｍ）３２４を介して接続されるが、これら複数のＢＳＳは、一般に、拡張サービスセット（ＥＳＳ：ｅｘｔｅｎｄｅｄ  ｓｅｒｖｉｃｅ  ｓｅｔ）と称されている。基地局３１４、３１６は、好ましくは、ネットワーク３１９を介してＮＭＳ（ネットワーク管理ステーション）３０６に接続される。
【００１４】
図４を参照すると、図３のネットワーク３００内のＷＴＲＵ３１２、基地局３１４、およびＮＭＳ３０６のブロック図が示されている。ＮＭＳ３０６は、アプリケーションレベルネットワーク管理プロトコルを使用して、基地局３１４との間でネットワーク管理情報を交信する。単に例示として、この実施形態に示したアプリケーションレベルネットワーク管理プロトコルは、シンプルネットワーク管理プロトコル（ＳＮＭＰ：ｓｉｍｐｌｅ  ｎｅｔｗｏｒｋ  ｍａｎａｇｅｍｅｎｔ  ｐｒｏｔｏｃｏｌ）ではあるが、任意のアプリケーションレベルプロトコル、可否（ｐｒｏｐｒｉｅｔｙ）あるいは他のものを使用することもできる。使用できる別のタイプのアプリケーションレベルネットワーク管理プロトコルの例が、拡張マークアップ言語（ＸＭＬ）プロトコルである。
【００１５】
ＮＭＳ３０６は、ＳＮＭＰポート４００を介してＳＮＭＰメッセージを送信することができる。このトランスポートレベルに関して、要望どおりにＴＣＰまたはＵＤＰのいずれでも使用できることに留意されたい。８０２．１１タイプネットワークのＮＭＳ３０６にとって興味を引くパラメータは、管理情報ベース（ＭＩＢ：ｍａｎａｇｅｍｅｎｔ  ｉｎｆｏｒｍａｔｉｏｎ  ｂａｓｅ）内で維持される。典型的には、８０２．１１タイプネットワークでは、基地局およびＷＴＲＵのそれぞれが、ＭＩＢを維持し、このＭＩＢに、それらのめいめいのパラメータが保存される。例えば、本発明では、基地局３１４には、データベース４０２が含まれ、このデータベース４０２内で、ＭＩＢが、基地局自体に関して維持される（すなわち、ＭＩＢｂａｓｅ ｓｔａｔｉｏｎ）。さらに、基地局３１４には、データベース４０４が含まれ、このデータベース４０４内で、基地局３１４に関連するすべてのＷＴＲＵのＭＩＢが維持される（すなわち、ＭＩＢＷＴＲＵｓ）。上で説明したように、基地局３１４には、ＳＮＭＰとＭＡＣメッセージングプロトコルの間で両方向に変換するトランスレータ（変換装置）４０６も含まれている。この実施形態では、好ましくは、ＭＡＣメッセージングプロトコルが、８０２．１１ｋメッセージングプロトコルである。８０２．１１ｋメッセージングプロトコルは、ＷＴＲＵ３１２のパラメータを基地局３１４に通信するデータリンク層／物理層プロトコルである。
【００１６】
ＮＭＳ３０６が基地局３１４に係るＭＩＢ情報を入手するためには、ＮＭＳ３０６は、ＳＮＭＰを使用して単純に要求（すなわち、ＳＮＭＰＧｅｔメッセージ）を送信し、基地局３１４が、その要求を受信し、要求通りに応答する。したがって、本発明では、基地局３１４が、８０２．１１ｋメッセージングを使用してＷＴＲＵ３１２のＭＩＢを周期的に入手し、それをデータベース４０４に格納することで、ＷＴＲＵのＭＩＢを基地局３１４において使用できるようにすることが好ましい。ＭＩＢは、基地局３１４により受信された際にＳＮＭＰに変換されて、その変換されたフォーマットで保管されることができ、あるいは、ＮＭＳ３０６がそれ（ＳＮＭＰ）を要求した時にＭＩＢを変換することができる、ということに留意されたい。いずれの場合でも、ＭＩＢは、ＳＮＭＰフォーマットでＮＭＳ３０６に送信される。さらに、さらに他の実施形態では、基地局３１４は、ＷＴＲＵのＭＩＢを周期的に入手せず、その代わりにＮＭＳ３０６がそれ（ＭＩＢ）を要求した時にＷＴＲＵ３１２のＭＩＢを入手する。
【００１７】
ＷＴＲＵ３１２のパラメータを入手するため、ＮＭＳ３０６は、自身のＳＮＭＰポート４００を介しＳＮＭＰメッセージを用いてパラメータを要求する。ＳＮＭＰでは、そのような要求を、前述のとおりＧｅｔメッセージ（入手メッセージ）と称する場合がある。基地局３１４は、自身のＳＮＭＰポート４０８でこの要求を受信し、ＷＴＲＵ３１２のパラメータをＳＮＭＰフォーマットでＮＭＳ３０６に供給する。ＭＩＢがＳＮＭＰフォーマットでデータベース４０４に保管されている場合には、ＷＴＲＵ３１２に係るＭＩＢは、単純にＮＭＳ３０６に転送される。ＭＩＢが、８０２．１１ｋメッセージングフォーマットで保管されている場合には、ＷＴＲＵ３１２に係るＭＩＢは、トランスレータ４０６によって変換され、その後、ＮＭＳ３０６に送信される。ＭＩＢは、ＳＮＭＰポート４０８、４００を利用して基地局３１４からＮＭＳ３０６へ供給されることが好ましい。上で注記したように、ＷＴＲＵ３１２のＭＩＢが古い（すなわち、所定の時間よりも長くデータベース４０４内にある）場合には、基地局３１４は、ＷＴＲＵ３１２から新しいＭＩＢを入手することができる。
【００１８】
本発明の他の実施形態では、ＮＭＳ３０６は、あるＷＴＲＵ３１２のトラップがセットされ、それによって、ある種のイベントが発生した時に、ＷＴＲＵ３１２がそれを報告するようになることを要求するＳＮＭＰメッセージを基地局３１４に送信することができる。ＮＭＳ３０６は、特定のＷＴＲＵ３１２について、ＳＮＭＰメッセージ（すなわち、ＳＮＭＰ  Ｔｒａｐメッセージ）を基地局３１４に送信する。基地局３１４は、ＳＮＭＰポート４０８を介してこのＳＮＭＰメッセージを受信する。基地局３１４内のトランスレータ４０６が、このＳＮＭＰメッセージを８０２．１１ｋメッセージに変換する。その後、基地局３１４は、この８０２．１１ｋメッセージを送信して、トリガするイベントが発生した時に、特定のＷＴＲＵ３１２に対してトラップ状態を基地局３１４へ報告することを要求する。イベントが実際に発生したならば、ＷＴＲＵ３１２は、８０２．１１ｋメッセージを基地局３１４に送信する。その後、基地局３１４のトランスレータ４０６が、このメッセージをＳＮＭＰに変換して、ＮＭＳ３０６に送信する。
【００１９】
本明細書で説明したように、ＮＭＳ３０６は、基地局３１４へＳＮＭＰメッセージを送信することによってＷＴＲＵ３１２のＭＩＢパラメータをセットすることができ、この場合に、基地局は、更新されたパラメータを８０２．１１ｋに変換し、その更新されたパラメータをＷＴＲＵ３１２に転送する。しかしながら、ＮＭＳ３０６は、ある特定の状況で、ＷＴＲＵ３１２と直接インターフェース（対話）することを望む場合がある。したがって、別の実施形態では、ＮＭＳ３０６が、ＷＴＲＵのＳＮＭＰエージェントとの間でＳＮＭＰメッセージを送受信するように設定されることで、ＷＴＲＵ３１２のＭＩＢパラメータを、無線で送信される標準ＳＮＭＰ（Ｓｅｔ）メッセージを介してセットできるようにしている。このシグナリングは、ＳＮＭＰメッセージングを用いて無線で送信されるが、典型的に少量のシグナリングであり、したがって、悪影響は実質的にない。
【００２０】
さらに、無線で行なうＳＮＭＰを用いたＷＴＲＵ３１２のＭＩＢ設定パラメータのセッティングを、本発明の技法を使用して最適化することができる。例えば、本発明のトランスレータを使用してパラメータおよび／または特定のトリガ（複数）をセットすることで、特定のイベント（複数）に基づいて特定のデフォルト設定（複数）に戻るようにＷＴＲＵを設定することができる。具体的に言うと、例えば、ＷＴＲＵ３１２がそのホームネットワークに戻った時に、デフォルト設定に復帰するように、ＷＴＲＵ３１２を設定することができる。これは、ＷＴＲＵパラメータをセットするための少量のＳＮＭＰシグナリングの必要をすっかりなくすのに使用することができる。あるいは、本明細書で説明したように、トランスレータと、アプリケーションレベルメッセージングおよびＭＡＣレベルメッセージングの組合せとを使用して、パラメータをセットすることができる。
【００２１】
本明細書で説明した基地局３１４のコンポーネント（構成要素）は、特定用途向け集積回路（ＡＳＩＣ）などのような単一の集積回路で実装されることが好ましい。しかし、これらのコンポーネントは、複数の別々の集積回路で手軽に実装することもできる。
【００２２】
図５を参照すると、システムコントローラがＷＴＲＵからパラメータ（複数）を入手できるメッソード６００の流れ図が示されている。メッソード６００は、ＷＴＲＵが無線通信システムのサービスエリアに入る時に、ステップ６０２で開始される。次に、ステップ６０４で、ＷＴＲＵに関連する基地局が、ＭＡＣメッセージングプロトコルを使用してＷＴＲＵのパラメータを要求する。次に、ステップ６０６で、ＷＴＲＵが、ＭＡＣメッセージングプロトコルを使用して基地局にパラメータを送信する。基地局は、パラメータをＭＡＣメッセージングプロトコルからアプリケーションレベル管理プロトコルに変換し（ステップ６０８）、変換されたパラメータを保管する（ステップ６１０）。変換されたパラメータは、基地局内に存在するか、または別の方法で基地局に所属するデータベースに保管されることが好ましい。上で注記したように、ステップ６０４からステップ６１０は、データの新セットを維持するために必要に応じて繰り返されることができる。変換されたパラメータが基地局で格納されたならば、コントローラは、任意のタイプのアプリケーションレベルネットワーク管理プロトコルを使用して、必要に応じて、これら（変換されたパラメータ）を基地局から入手することができる（ステップ６１２）。追加の実施形態として、パラメータに関する実際の要求を受信してから、変換ステップをトリガできるということに留意されたい。この場合に、そのパラメータは、ＭＡＣメッセージングフォーマットで格納されている。
【００２３】
図６を参照すると、システムコントローラがＷＴＲＵのパラメータを更新するか、あるいは別の方法で変更することができるメッソード７００の流れ図が示されている。この実施形態では、システムコントローラが、ＷＴＲＵのパラメータへの書き込みアクセスを有する。メッソード７００は、ステップ７０２で開始され、ここで、システムコントローラが、アプリケーションレベルネットワーク管理プロトコルを使用して、ＷＴＲＵ（単数または複数）のパラメータ（複数）を更新する要求を出す。更新されるパラメータが、その要求と共に送信されることが好ましい。ステップ７０４で、要求が基地局で受信され、ＭＡＣメッセージングプロトコルフォーマットに変換される。次に、ステップ７０６で、基地局が、要求をＷＴＲＵに転送する。その後、ステップ７０８で、ＷＴＲＵが、その要求に従って自身のパラメータを更新する。メッソード７００では、ＷＴＲＵでトラップをセットするのにも使用することができ、その場合に、ＷＴＲＵは、上で説明したように、特定のイベントが発生した時に特定のアクションを実行する。
【００２４】
本発明を、あらゆる任意のタイプの無線通信システムで実装できることに留意することが重要である。例えば、本発明を、ＵＭＴＳ−ＴＤＤ（ユニバーサル・モバイル・テレコミニュケーション・システム−時分割二重化）、ＵＭＴＳ−ＦＤＤ（ユニバーサル・モバイル・テレコミニュケーション・システム−周波数分割双方向）、ＣＤＭＡ（符号分割多重アクセス方式）２０００、ＴＤＳＣＤＭＡ（時分割同期ＣＤＭＡ）、ＧＳＭ（グローバル・システム・フォー・モバイル・コミュニケーション）、ＷＬＡＮ（無線ＬＡＮ）、ＷＰＡＮ（ワイアレス・パーソナル・エリア・ネットワーク）、ＷＭＡＮ（ワイアレス・メトロポリタン・エリア・ネットワーク）、またはすべての他の色々なタイプの無線通信システムで実装することができる。さらに、本発明の特徴および構成要素を、好ましい実施形態での特定の組合せで説明したが、これら各特徴または構成要素を、本発明の他の特徴および構成要素と共に、またはこれらなしで、単独でまたはさまざまな組合せで使用することができる。
【図面の簡単な説明】
【００２５】
【図１】従来の無線通信システム、プロトコルスタック、およびカプセル化されたアプリケーション層メッセージを示すブロック図である。
【図２】本発明による無線通信システムを示すブロック図である。
【図３】８０２．１１タイプの無線ネットワークを示すブロック図である。
【図４】図３に示した８０２．１１タイプの無線ネットワークの基地局、ＷＴＲＵ、およびネットワーク管理ステーションを示し、ここでネットワーク管理機能が本発明に従ってＷＴＲＵとの間で交信されるブロック図である。
【図５】システムコントローラが本発明に従ってＷＴＲＵからパラメータを入手できるメッソードを示す流れ図である。
【図６】システムコントローラが本発明に従ってＷＴＲＵのパラメータを更新する、あるいは別の方法で変更することができるメッソードを示す流れ図である。
【図１】
2007527148.tif 000003
【図２】
2007527148.tif 000004
【図３】
2007527148.tif 000005
【図４】
2007527148.tif 000006
【図５】
2007527148.tif 000007
【図６】
2007527148.tif 000008
【国際調査報告】
2007527148.tif 000009